(57)【要約】      （修正有）【課題】洗浄用ブラシの把手杆のみを手で扱うだけで、洗浄用ブラシをブラシケースに装着したり取り外したりできる洗浄用ブラシセットを提供する。【解決手段】洗浄用ブラシセット１は、把手杆４の一端部４Ａに払拭体５が取り付けられた洗浄用ブラシ２と、洗浄用ブラシ２の払拭体５を収容する受皿部７を有するブラシケース３と、から成るセット物であって、ブラシケース３は、その上面９に立設された取手部１１と、取手部１１の上部１１Ａに連結されるとともに受皿部７の上方位置に先端部１２Ａが配置される横架杆部１２と、を有して成り、洗浄用ブラシ２の把手杆４の他端部４Ｂに設けられた第１係合部１５と、横架杆部１２の先端部１２Ａに設けられるとともに洗浄用ブラシ２の第１係合部１５と係脱自在に係合して洗浄用ブラシ２を吊持する第２係合部１６と、から成る吊持機構１７を備えている。【選択図】図３
0003195399.tif 000002
【実用新案登録請求の範囲】
【請求項１】
把手杆の一端部に払拭体が取り付けられている洗浄用ブラシと、前記洗浄用ブラシの払拭体を収容する受皿部を有するブラシケースと、から成る洗浄用ブラシセットであって、
前記ブラシケースは、当該ブラシケースの上面に立設された取手部と、前記取手部の上部に連結されるとともに前記受皿部の上方位置に先端部が配置される横架杆部と、を有して成り、
前記洗浄用ブラシにおける把手杆の他端部に設けられた第１係合部と、前記横架杆部の先端部に設けられるとともに前記洗浄用ブラシの第１係合部と係脱自在に係合して前記洗浄用ブラシを吊持する第２係合部と、から成る吊持機構を備えていることを特徴とする洗浄用ブラシセット。
【請求項２】
前記ブラシケースの横架杆部の第２係合部が前記洗浄用ブラシの第１係合部と係合して前記洗浄用ブラシを吊持したときに前記払拭体が前記ブラシケースの受皿部内の空中位置に保持されているように、前記横架杆部の先端部の高さと、前記洗浄用ブラシにおける払拭体から把手杆の他端部までの長さとの関係が設定されていることを特徴とする請求項１に記載の洗浄用ブラシセット。
【請求項３】
前記吊持機構の第１係合部と第２係合部のいずれか一方が磁石で構成され、他方の係合部が、前記磁石に磁着される他の磁石または磁性体で構成されていることを特徴とする請求項１または請求項２に記載の洗浄用ブラシセット。
【請求項４】
前記吊持機構の第１係合部と第２係合部のいずれか一方が凸状部で構成され、他方の係合部が、前記凸状部が挿通される穴部で構成されていることを特徴とする請求項１または請求項２に記載の洗浄用ブラシセット。
【請求項５】
前記横架杆部が、天地逆Ｕの字状に形成されていることを特徴とする請求項１から請求項４までのいずれか一項に記載の洗浄用ブラシセット。
【考案の詳細な説明】
【技術分野】
【０００１】
本考案は、払拭体を有する洗浄用ブラシと、洗浄用ブラシを収容するブラシケースと、から成る洗浄用ブラシセットに関するものである。
【背景技術】
【０００２】
従来、この種の洗浄用ブラシセットは、例えば下記の特許文献１に記載されている。この洗浄用ブラシセットは、把手杆の一端部に払拭体が取り付けられている洗浄用ブラシと、洗浄用ブラシの払拭体を収容する受皿部を有するブラシケースと、から構成されている。  この洗浄用ブラシセットでは、ブラシケースの上面に立設された指掛けに、洗浄用ブラシの把手杆が着脱自在に支持されるが、洗浄用ブラシを取り外す際には、ブラシケースの指掛けを一方の手で持ち、他方の手で洗浄用ブラシの把手杆を持って、ブラシケースから洗浄用ブラシを取り外すようになっている。一方、ブラシケースに洗浄用ブラシを係止させる場合も、一方の手でブラシケースの指掛けを押えた状態で、他方の手で持った洗浄用ブラシをブラシケースの指掛けに装着するようになっている。
【先行技術文献】
【特許文献】
【０００３】
【特許文献１】登録実用新案第３０１２１７３号公報
【考案の概要】
【考案が解決しようとする課題】
【０００４】
ところで、利用者は、必要以外の箇所、例えばブラシケースの胴体や指掛けなどにできるだけ触れたくないものである。しかしながら、前記公報開示の洗浄用ブラシセットによれば、洗浄用ブラシのみならずブラシケースも触れなければならないので、利用者が心地悪くなるとともに、衛生面でも好ましくないという課題があった。
【０００５】
本考案は、上記した従来の問題点に鑑みてなされたものであって、洗浄用ブラシの把手杆のみに触るだけで、洗浄用ブラシをブラシケースに装着したり取り外したりすることのできる洗浄用ブラシセットの提供を目的とする。
【課題を解決するための手段】
【０００６】
上記目的を達成するために、本考案に係る洗浄用ブラシセットは、把手杆の一端部に払拭体が取り付けられている洗浄用ブラシと、前記洗浄用ブラシの払拭体を収容する受皿部を有するブラシケースと、から成る洗浄用ブラシセットであって、前記ブラシケースは、当該ブラシケースの上面に立設された取手部と、前記取手部の上部に連結されるとともに前記受皿部の上方位置に先端部が配置される横架杆部と、を有して成り、前記洗浄用ブラシにおける把手杆の他端部に設けられた第１係合部と、前記横架杆部の先端部に設けられるとともに前記洗浄用ブラシの第１係合部と係脱自在に係合して前記洗浄用ブラシを吊持する第２係合部と、から成る吊持機構を備えていることを特徴とする構成にしてある。
【０００７】
また、前記構成において、前記ブラシケースの横架杆部の第２係合部が前記洗浄用ブラシの第１係合部と係合して前記洗浄用ブラシを吊持したときに前記払拭体が前記ブラシケースの受皿部内の空中位置に保持されているように、前記横架杆部の先端部の高さと、前記洗浄用ブラシにおける払拭体から把手杆の他端部までの長さとの関係が設定されているものである。
【０００８】
また、前記した各構成において、吊持機構の第１係合部と第２係合部のいずれか一方が磁石で構成され、他方の係合部が、前記磁石に磁着される他の磁石または磁性体で構成されているものである。
【０００９】
そして、前記した各構成において、吊持機構の第１係合部と第２係合部のいずれか一方が凸状部で構成され、他方の係合部が、前記凸状部が挿通される穴部で構成されているものである。
【００１０】
更に、前記した各構成において、横架杆部が、天地逆Ｕの字状に形成されているものである。
【考案の効果】
【００１１】
本考案に係る洗浄用ブラシセットによれば、ブラシケースの横架杆部の先端部が受皿部の上方位置に配置されており、洗浄用ブラシの他端部に第１係合部が設けられ、横架杆部の先端部に第２係合部が設けられ、第１係合部と第２係合部が係脱自在に係合して洗浄用ブラシを吊持するようになっているので、洗浄用ブラシの把手杆のみを手で扱うだけで、洗浄用ブラシをブラシケースに取り付けたり取り外したりすることができる。従って、洗浄用ブラシの着脱に際してブラシケースに手を触れる必要がないので利用者は心地良いし、必要以上に他所に触れないので衛生的にも好ましい洗浄用ブラシセットを提供することができる。
【００１２】
また、横架杆部の先端部の高さと、洗浄用ブラシにおける払拭体から把手杆の他端部までの長さとが所定関係に設定されているものでは、ブラシケースの横架杆部の第２係合部が洗浄用ブラシの第１係合部と係合して洗浄用ブラシを吊持したときに、払拭体をブラシケースの受皿部内の空中位置に保持することができる。これにより、払拭体の周囲に空気が存在するから、払拭体の乾きを早くすることができ、雑菌の繁殖や悪臭の発生を抑制することも可能となる。
【００１３】
また、吊持機構の第１係合部と第２係合部のいずれか一方が磁石で構成され、他方の係合部が、前記磁石に磁着される他の磁石または磁性体で構成されているものでは、磁石または磁性体の入手が容易かつ安価である。また、磁力による係止力が大きい反面、ブラシケースの横架杆部からの洗浄用ブラシの取り外しを比較的容易に行なうことができる。
【００１４】
そして、吊持機構の第１係合部と第２係合部のいずれか一方が凸状部で構成され、他方の係合部が、前記凸状部が挿通、係止される穴部で構成されているものでは、凸状部と穴部のいずれも簡素な構成であるから、極めて安価かつ簡素な構成の洗浄用ブラシセットを提供することができる。
【００１５】
更に、横架杆部が天地逆Ｕの字状に形成されているものでは、スマートで見た目の良い優れたデザインの洗浄用ブラシセットを提供することができる。
【図面の簡単な説明】
【００１６】
【図１】本考案の一実施形態に係る洗浄用ブラシセットの全体斜視図である。
【図２】前記洗浄用ブラシセットの正面図である。
【図３】前記洗浄用ブラシセットの一部断面を含む側面図である。
【図４】前記洗浄用ブラシの一端部側を拡大して示す一部断面を含む部分側面図である。
【図５】前記洗浄用ブラシの他端部側を拡大して示す部分分解斜視図である。
【図６】前記洗浄用ブラシの他端部と前記ブラシケースの横架杆部の先端部とを示す部分拡大側断面図である。
【図７】前記洗浄用ブラシセットのブラシケースから洗浄用ブラシを取り外した状態を示す斜視図である。
【図８】本考案の別の実施形態に係る洗浄用ブラシセットにおける洗浄用ブラシの他端部とブラシケースの横架杆部の先端部とを示す図であって、（ａ）は洗浄用ブラシをブラシケースの横架杆部から取り外した状態を示す部分側面図、（ｂ）は洗浄用ブラシをブラシケースの横架杆部に取り付けた状態を示す部分側面図である。
【考案を実施するための形態】
【００１７】
本考案の実施形態を図面に基づいて説明する。尚、以下に述べる実施形態は本考案を具体化した一例に過ぎず、本考案の技術的範囲を限定するものでない。図１は本考案の一実施形態に係る洗浄用ブラシセットの全体斜視図、図２は前記洗浄用ブラシセットの正面図、図３は前記洗浄用ブラシセットの一部断面を含む側面図である。
各図において、この実施形態に係る洗浄用ブラシセット１は、洗浄用ブラシ２と、この洗浄用ブラシ２を収容するブラシケース３と、から構成されている。
【００１８】
前記の洗浄用ブラシ２は、棒状の把手杆４と、把手杆４の一端部４Ａに取り付けられた払拭体５と、を備えている。把手杆４の一端部４Ａには、図４に示すように、側面から杆内部に陥入した装着窓２０が形成されている。装着窓２０の底面は水平直線面である係止用棚部４５となっている。また、一端部４Ａの下端面には、挿通穴２１が上向きに形成されていて、装着窓２０の係止用棚部４５に開口している。把手杆４の他端部４Ｂには磁石板（第１係合部の例）１５が埋設されている。
【００１９】
前記の払拭体５は無数の刷毛２７で形成され、刷毛２７はポリエステル製で多角断面形状を持つマイクロファイバーを材料として構成されている。この刷毛２７は便器を傷つけにくい反面、水だけでも汚れを落とすことができ、落とした汚れがこびり付きにくい性質を有している。このような刷毛２７は保持部材２２で束ねられてしっかりと保持される。前記の保持部材２２は、一カ所で割られたリング部２３と、リング部２３の分割位置の両側からリング径方向外向きに突出して形成された２本の脚部２４，２４と、脚部２４，２４の先端部から互いに離間する方向に突出して形成された２つの係止突起２５，２５と、から一体に形成されている。リング部２３内は無数の刷毛２７を収容するための束ね用空間２６となっている。２つの係止突起２５，２５に近い部分の脚部２４，２４の間には、互いに内向きに撓み変形できるような隙間が形成されている。
【００２０】
そして、無数の刷毛２７がそれぞれの毛長手方向の中央部が保持部材２２のリング部２３の束ね用空間２６内に充填され、この状態で保持部材２２の係止突起２５，２５が把手杆４の一端部４Ａの下端面側から挿通穴２１を通される。そのうち、係止突起２５，２５が挿通穴２１を通過して装着窓２０に届くと、外向きに広がって係止用棚部４５に係止される。これにより、無数の刷毛２７がリング部２３の内周面で締め付けられ、刷毛２７の両端側が展開してリング部２３を中心とするボンボン状の球体となる。
【００２１】
前記のブラシケース３は例えばＡＢＳなどの合成樹脂を材料として一体成型されており、平面視で前後に長い楕円形のケース本体６と、ケース本体６内に配置された受皿部７と、ケース本体６の上側周縁部と受皿部７の上側周縁部とをつなぐ上面９と、上面９の後部に形成された装着穴１０と、から構成されている。装着穴１０内には、取手部１１の下部１１Ｂに設けられた係止用鍔１４を係止するための、係止用溝１３が形成されている。受皿部７は有底筒状に形成されていて、上面が開口した収容空間８を有している。この受皿部７の収容空間８内には、洗浄用ブラシ２の払拭体５が収容されるようになっている。
【００２２】
また、ブラシケース３は、その上面９に立設された棒状の取手部１１と、取手部１１の上部１１Ａに連結される横架杆部１２と、を有している。横架杆部１２は取手部１１の上部１１Ａから延在して連結されている。横架杆部１２は、上向きに膨出して湾曲した天地逆Ｕの字状に形成されていて、その先端部１２Ａはブラシケース３の受皿部７の上方位置に配置されている。また、横架杆部１２の先端部１２Ａの端面は下方を向いている。
横架杆部１２の先端部１２には、磁石板（第２係合部の例）１６が埋設されている。この磁石板１６は、洗浄用ブラシ２の磁石板１５と係脱可能に磁着して洗浄用ブラシ２を吊持し払拭体５を空中に保持するようになっている。すなわち、前記の磁石板１５と磁石板１６とから、本実施形態の吊持機構１７が構成される。
【００２３】
前記の吊持機構１７の磁石板１５と磁石板１６は、図５および図６に示されるように、組み付けられている。これらの磁石板１５，１６は、例えば永久磁石であって磁力の高いネオジム磁石で構成されている。但し、磁石板の構成材料としては、ネオジム磁石に限られず、他の種類の磁石を用いても構わない。
まず、磁石板１５では、把手杆４の他端部４Ｂの上端面に、下向きの装着穴２８が形成されている。装着穴２８の底部の中央部分は、上向きに盛り上がった支持台部３０となっている。この支持台部３０の上面に磁石板１５が載置される。そうして、磁石板１５を保持するために、保持具３１が用いられる。保持具３１は、底面が開口した有蓋筒状に形成されていて、筒外周面に、装着穴２８の内周面に圧着して係止される係止用鍔３２が全周にわたって形成されている。また、保持具３１の内周面の例えば４ケ所には、支持台部３０の基部外周面および磁石板１５の外周面に圧着してこれらと係合する縦長の係止用突条１８，１８，１８，１８が設けられている。
【００２４】
次に、磁石板１６についてであるが、磁石板１５と同様の構成をほぼ天地逆にした構成である。すなわち、横架杆部１２の先端部１２Ａの下端面に、上向きの装着穴３５が形成されている。装着穴３５の天井部の中央部分は、下向きに盛られた支持台部３７となっている。この支持台部３７の下方位置に磁石板１６が配置される。そして、磁石板１６を保持するために、保持具３８が用いられる。保持具３８は、上面が開口した有底筒状に形成されていて、筒外周面に、装着穴３５の内周面に圧着して係止される係止用鍔３９が全周にわたって形成されている。また、保持具３８の内周面の例えば４ケ所には、支持台部３７の基部外周面および磁石板１６の外周面に圧着してこれらと係合する縦長の係止用突条１９，１９，１９，１９が設けられている。
【００２５】
また、ブラシケースの横架杆部の第２係合部が洗浄用ブラシの第１係合部と係合して洗浄用ブラシを吊持したときに払拭体がブラシケースの受皿部内で空中に保持されているように、横架杆部の先端部の高さＴと、洗浄用ブラシにおける払拭体から把手杆の他端部までの長さＬとの関係が予め設定されている
【００２６】
上記のように構成された洗浄用ブラシセット１の作用を次に説明する。洗浄用ブラシ２をブラシケース３の横架杆部１２に吊持させる場合は、把手杆４の保持具３１の上面３３を横架杆部１２の保持具３８の下面４０に近接ないし当接させる。すると、磁石板１６と磁石板１５との間の吸引磁力により、洗浄用ブラシ２がブラシケース３の横架杆部１２に磁着されて保持される。すなわち、ブラシケース３の磁石板１６が洗浄用ブラシ２の磁石板１５と磁着し、図１〜図３に示すように、洗浄用ブラシ２を吊持して、払拭体５を受皿部７内の空中位置に保持するのである。
一方、洗浄用ブラシ２をブラシケース３から取り外す際には、洗浄用ブラシ２の把手杆４を手で持って引き下げると、この引き下げ力が磁石板１６と磁石板１５との磁力に打ち勝ったとき、図７に示すように、洗浄用ブラシ２の把手杆４がブラシケース３の横架杆部１２から離れて洗浄用ブラシ２が取り外されるのである。
【００２７】
そして、例えばトイレ掃除などに使用した後の洗浄用ブラシ２をブラシケース３に収容する際には、洗浄用ブラシ２の払拭体５をブラシケース３の受皿部７内に装入し、その状態で洗浄用ブラシ２の把手杆４の他端部４Ｂをブラシケース３の横架杆部１２の先端部１２Ａに近接する。すると、磁石板１５が磁石板１６と磁着して、洗浄用ブラシ２が横架杆部１２に吊持される。このとき、横架杆部１２の先端部１２Ａと把手杆４の長さの寸法関係により、払拭体５は受皿部７内の空中位置に保持される。
【００２８】
上記したように、この実施形態の洗浄用ブラシセット１によれば、磁石板１５と磁石板１６とが係脱自在に係合して洗浄用ブラシ２を吊持するので、洗浄用ブラシ２の把手杆４のみを手で扱うだけで、洗浄用ブラシ２をブラシケース３の横架杆部１２に取り付けたり取り外したりすることができる。これにより、洗浄用ブラシ２の着脱に際して、ブラシケース３に手を触れる必要がないので、利用者の心地を悪くすることがなく、衛生的にも好ましい。
【００２９】
また、ブラシケース３の横架杆部１２に洗浄用ブラシ２を吊持させたときには、洗浄用ブラシ２の払拭体５をブラシケース３の受皿部７内の空中位置に保持することができる。これにより、払拭体５の周囲が空気で囲まれるから、払拭体５の乾きを早くすることができる。その結果、雑菌の繁殖や悪臭の発生を抑制することが可能となる。そして、吊持機構１７が磁石板１５，１６で構成されているので、入手が容易かつ安価で済み、磁力による係止力が大きい。その反面、ブラシケース３の横架杆部１３からの洗浄用ブラシ２の取り外しを容易に行なうことができる。更に、横架杆部１２が天地逆Ｕの字状に形成されているので、シンプル且つスマートで見た目に良くサプライズ性のあるデザインの洗浄用ブラシセット１となっている。
【００３０】
尚、上記の実施形態では、吊持機構として第１係合部と第２係合部の双方に磁石を使用した例を示したが、本考案の洗浄用ブラシセットはそれに限定されるものでない。例えば、吊持機構の第１係合部と第２係合部のいずれか一方を磁石板で構成し、前記の磁石板に磁着される、例えば鉄板等の磁性体で、他方の係合部を構成しても構わない。
【００３１】
また、上記の各実施形態では、吊持機構として、磁石と、これに磁着される磁石または磁性体を用いた例を示したが、本考案はそれに限定されるものでない。例えば、図８に示すような吊持機構１７ａを持つ洗浄用ブラシセットも、本考案に含まれる。
この実施形態の洗浄用ブラシセットでは、横架杆部１２の先端部１２Ａに、側面視で階段状の切欠き段部４３が形成されている。この切欠き段部４３の竪壁面に、水平方向に突出した凸状部（第２係合部）４４が形成されている。一方、把手杆４の他端部４Ｂには、側面視で階段状の切欠き段部４１が形成されている。この切欠き段部４１の竪壁面に、水平方向に貫通した穴部（第１係合部）４２が形成されている。横架杆部１２の凸状部４４は穴部４２に挿脱自在に係止されて、洗浄用ブラシ２を吊持するようになっている。すなわち、吊持機構１７ａは、凸状部４４と穴部４２とから構成される。
この実施形態の洗浄用ブラシセットによれば、凸状部４４と穴部４２のいずれも簡素な構成であるから、極めて安価かつ簡素な構成を提供することができる。
【００３２】
また、上記では、第１係合部を穴部４２で構成し、第２係合部を凸状部４４で構成したが、本考案はそれに限定されない。例えば、逆に第１係合部を凸状部で構成し、この凸状部が挿脱自在に係止される穴部で、第２係合部を構成したものでも構わない。
また、上記では、横架杆部として、上向きに膨出した円弧状の横架杆部１２を例示したが、本考案はそれに限定されず、取手部１１の上部１１Ａから水平方向に延在して連結された直線棒状の横架杆部や、下向きに垂れ下がった円弧状の横架杆部であっても構わない。その場合も、横架杆部の先端部は必ず受皿部の上方位置に配置される。
【符号の説明】
【００３３】
１    洗浄用ブラシセット
２    洗浄用ブラシ
３    ブラシケース
４    把手杆
４Ａ  一端部
４Ｂ  他端部
５    払拭体
７    受皿部
９    上面
１１  取手部
１１Ａ  上部
１２  横架杆部
１２Ａ  先端部
１５  磁石板（第１係合部）
１６  磁石板（第２係合部）
１７，１７ａ  吊持機構
２２  保持部材
２７  刷毛
３１，３８  保持具
４２  穴部（第１係合部）
４４  凸状部（第２係合部）
Ｌ  長さ
Ｔ  高さ
【図１】
0003195399.tif 000003
【図２】
0003195399.tif 000004
【図３】
0003195399.tif 000005
【図４】
0003195399.tif 000006
【図５】
0003195399.tif 000007
【図６】
0003195399.tif 000008
【図７】
0003195399.tif 000009
【図８】
0003195399.tif 000010